(57)【要約】【課題】各種ヘアドライヤーの先端に取り付けられ、当該ドライヤーからの風を拡散・抑制して髪の毛に従来の風力を与えないヘッド体を提供することにある。【解決手段】ヘアドライヤー１の先端１０に着脱・収縮自在なヘッド体であって、当該ヘッド体は全体形状がラッパ状で中空に形成され、その基端部２はヘアドライヤー１の先端１０に取付け可能な直径で円筒状の取付け開口部３に成り、先端８にいくに従って漸次大きく拡径され、先端８は多数の通孔５・・・を備えた吹出し部６に形成されており、ヘアドライヤー先端１０への取付け状態で当該ヘッド体の吹出し口６から熱風の拡散吹出しが自在に構成されている。【選択図】     図５
0003192058.tif 000002
【実用新案登録請求の範囲】
【請求項１】
ヘアドライヤーの先端に着脱・収縮自在なヘッド体であって、当該ヘッド体は全体形状がラッパ状で中空に形成され、その基端部はヘアドライヤーの先端に取付け可能な直径で円筒状の取付け開口部に成り、先端にいくに従って漸次大きく拡径され、先端は多数の通孔を備えた吹出し部に形成されており、ヘアドライヤー先端への取付け状態で当該ヘッド体の吹出し口から熱風の拡散吹出しが自在に構成されていることを特徴とするヘアドライヤーの先端に着脱・収縮自在なヘッド体。
【請求項２】
ヘッド体は耐久性あるゴム製又はウレタン製で多段階に伸縮自在に構成されていることを特徴とする、請求項１に記載したヘアドライヤーの先端に着脱・収縮自在なヘッド体。
【請求項３】
ヘッド体の取付け開口部の内側面に、スリットが複数形成されていることを特徴とする、請求項１又は２に記載したヘアドライヤーの先端に着脱・収縮自在なヘッド体。
【請求項４】
吹出し部はヘッド体の先端から所定長さ分だけ手前に形成され、前記所定長さ分と同等又はそれより長い突部が吹出し部に設けられていることを特徴とする、請求項１〜３のいずれか１項に記載したヘアドライヤーの先端に着脱・収縮自在なヘッド体。
【考案の詳細な説明】
【技術分野】
【０００１】
本考案は、各種ヘアドライヤーの先端に取り付けた当該ヘッド体により、ドライヤーからの風は拡散・抑制して髪の毛に強い風の力を与えず、変わらない熱で髪の毛を整えるヘアドライヤーの先端に着脱・収縮自在なゴム製等のヘッド体の技術分野に関する。
【背景技術】
【０００２】
既存のヘアドライヤーの先端に着脱自在なアタッチメントとして、例えば下記特許文献１のようなノズルが公知に属する。
【０００３】
すなわち、特許文献１には、「吸気口（９１）から送気口（９２）に至る通気路内にヒータが設けられているヘアドライヤー（９）の前記送気口（９２）に着脱可能に取り付けられる吹出ノズル（１）であって、前記送気口（９２）に着脱可能に接続するノズル流入口（１１）からノズル吹出口（１２）に至るノズル流路（１３）が形成されたノズル本体（１０）と、前記ノズル吹出口（１２）に突設された複数本のピン体（３）を備え、前記ピン体（３）は先端が頭皮に接触可能になるようにノズル吹出口（１２）からの吹き出し方向に突出して設けられていることを特徴とするヘアドライヤー用吹出ノズル（請求項１）。」が開示されている。
【先行技術文献】
【特許文献】
【０００４】
【特許文献１】登録第３１８４９５５号登録実用新案公報
【考案の概要】
【考案が解決しようとする課題】
【０００５】
前記特許文献１に開示された考案は、ノズル吹出口に複数本のピン体が突設されているため、このピン体を用いることで、波状毛髪をつくりあげる施術を行いながら、その施術部分にヘアドライヤーからの熱を吹き付けることができるが、風の力がある。
【０００６】
したがって、本考案が解決しようとする課題は、各種ヘアドライヤーの先端に取り付けられ、当該ドライヤーからの風を拡散・抑制して髪の毛に従来の風力を与えず、変わらない熱で髪の毛を整えられて使い勝手のよいヘアドライヤーの先端に着脱・収縮自在なヘッド体を提供することにある。
【課題を解決するための手段】
【０００７】
上記課題を解決するための手段として、請求項１記載の考案のヘアドライヤー１の先端１０に着脱・収縮自在なヘッド体は、ヘアドライヤー１の先端１０に着脱・収縮自在なヘッド体であって、当該ヘッド体は全体形状がラッパ状で中空に形成され、その基端部２はヘアドライヤー１の先端１０に取付け可能な直径で円筒状の取付け開口部３に成り、先端８にいくに従って漸次大きく拡径され、先端８は多数の通孔５・・・を備えた吹出し部６に形成されており、ヘアドライヤー先端１０への取付け状態で当該ヘッド体の吹出し口６から熱風の拡散吹出しが自在に構成されていることを特徴とする。
【０００８】
請求項２に記載したヘアドライヤーの先端に着脱・収縮自在なヘッド体は、前記ヘッド体が耐久性あるゴム製又はウレタン製で多段階に伸縮自在に構成されていることを特徴とする。
【０００９】
請求項３に記載したヘアドライヤーの先端に着脱・収縮自在なヘッド体は、前記ヘッド体の取付け開口部３の内側面３０に、スリット４が複数形成されていることを特徴とする。
【００１０】
請求項４に記載したヘアドライヤーの先端に着脱・収縮自在なヘッド体は、前記吹出し部６がヘッド体の先端８から所定長さｈ分だけ手前に形成され、前記所定長さｈ分と同等又はそれより長い突部７が吹出し部６に設けられていることを特徴とする。
【考案の効果】
【００１１】
本考案の請求項１に係るヘアドライヤーの先端に着脱・収縮自在なヘッド体は、当該ヘッド体の全体形状がラッパ状で中空に形成され、その基端部はヘアドライヤーの先端に取付け可能な直径で円筒状の取付け開口部に成り、先端にいくに従って漸次大きく拡径され、先端は多数の通孔を備えた吹出し部に形成されているので、ヘアドライヤー先端への取付け状態で当該ヘッド体の吹出し口から弱い風力の熱風を拡散して吹出すことができ、ボリュームを出して髪の毛を整えられる優れた利点がある。
【００１２】
また、ヘッド体は耐久性あるゴム製又はウレタン製で多段階に伸縮自在に構成されているので（請求項２）、当該ヘッド体は落としても壊れにくい上、必要に応じて当該ヘッド体を収縮（又は伸長）させてヘアドライヤーからの熱風の調節をできる自在性にも優れている。
【００１３】
さらに、請求項３のようにヘッド体の取付け開口部の内側面にスリットが複数形成されているため、接続具を別途用意することなく、各種ヘアドライヤーの先端の大きさに応じて取付け開口部を取付けられ便利である。
【００１４】
そして、吹出し部はヘッド体の先端から所定長さ分だけ手前に形成され、前記所定長さ分と同等又はそれより長い突部が吹出し部に設けられているから（請求項４）、この突部を髪に当接させて使用することにより、傷付けることなく根元にボリュームを与えることができる。
【図面の簡単な説明】
【００１５】
【図１】本考案のヘアドライヤーの先端に着脱・収縮自在なヘッド体の収縮状態における全体斜視図である。
【００１６】
【図２】図１のヘッド体を示した平面図である。
【００１７】
【図３】ヘッド体の先端の吹出し部を示した全体図である。
【００１８】
【図４】ヘッド体の伸長状態を示した斜視図である。
【００１９】
【図５】ヘアドライヤー先端に取付けたヘッド体の使用状態を示した斜視図である。
【考案を実施するための最良の形態】
【００２０】
請求項１〜４に係るヘアドライヤーの先端に着脱・収縮自在なヘッド体の好適な実施形態について、以下図面にしたがいながら説明する。
【００２１】
図１と図２は、本実施形態のヘッド体の基端部側からの全体図を示しているものである。
【００２２】
このヘッド体は、図５に示したようなヘアドライヤー１の先端１０に着脱・収縮自在な大きさ・形状に形成されているものである。
【００２３】
本実施形態の場合、当該ヘッド体はゴム製（又はウレタン製）で製作され、全体形状がラッパ状で中空に形成されている。ゴム製（又はウレタン製）なので取り扱いやすく壊れにくい。
【００２４】
当該ラッパ状ヘッド体の基端部２は、ヘアドライヤー１の先端１０に取付け可能な直径（φ＝５ｃｍ）で円筒状の取付け開口部３に成っている。また、この取付け開口部３の内側面３０に、スリット４が等間隔で３つ形成されている。各種ヘアドライヤー先端１０の大きさ・形状に適宜対応するためである。
【００２５】
当該ヘッド体は図４と図５に示したように、前記基端部２から先端８にいくに従って漸次大きく拡径されている。かくして、ゴム製の当該ヘッド体自身が、多段階に伸縮自在に構成されており、必要に応じて収縮又は伸長させて全長の長さ調節をすることができる。
【００２６】
そして、このヘッド体の先端８は、図３に示したように、多数の通孔５・・・を備えた吹出し部６に形成されている。すなわち、吹出し部６は、ハニカム状に形成された多数の通孔５・・・から成っている。
【００２７】
当該吹出し部６は、直径φが約１８ｃｍであり、ヘッド体の先端８から所定長さｈ（ｈは例えば１ｃｍ等）分だけ手前に形成されている（図５参照）。そして前記所定長さｈ分と同等又はそれより長い突部７が吹出し部６に複数設けられている。ヘッド体の先端８で所定範囲の髪の毛を被覆しつつ、その内側で熱を逃がさずに送風すると共に突部７を有効活用するためである。
【００２８】
したがって、ヘアドライヤー先端１０への取付け状態で、ドライヤー１からの風は当該ヘッド体の吹出し口６から拡散・抑制して弱い風力の熱風を吹出し部６（通孔５・・・）から送ることができ、髪に風力の悪影響を及ぼさずにボリュームを出して髪の毛を整えることができる。
【００２９】
また根元にボリュームを与える等の場合は、吹出し部６の突部７を髪に直接当てての使用も可能である。
【符号の説明】
【００３０】
２      基端部
３      取付け開口部
３０    内側面
４      スリット
５      通孔
６      吹出し口
７      突起
ｈ      所定長さ
８      先端
１      ヘアドライヤー
１０    先端
【図１】
0003192058.tif 000003
【図２】
0003192058.tif 000004
【図３】
0003192058.tif 000005
【図４】
0003192058.tif 000006
【図５】
0003192058.tif 000007